(57)【要約】      （修正有）【課題】雨水に濡れても破損せず、記入ができなくなることも記録が消えることもなく、競技後に別のカードに転記する必要がなく長期保存が可能なゴルフコース用のスコアカードを提供する。【解決手段】スコアカード１のカード用紙１ａは、ストーンペーパー材により構成され、耐水性に優れ、取り扱い易い二つ折りの矩形用紙を形成し、水に濡れてもペンやボールペンあるいは鉛筆などの筆記具７により書き入れが可能であり、かつ書き入れが消えない。しかも、ゴルファーのポケット内でも筆記具７をホルダー部や補助ホルダー部８に安定させた状態で保持することができる。【選択図】図３
0003164699.tif 000002
【実用新案登録請求の範囲】
【請求項１】
ゴルフ場で打数などを記録するために、中央部に二つ折り可能な折り目線が形成されたカード用紙を、耐水性に優れ、水濡れ状態でも筆記具により書き入れ可能であり、かつ書き入れ事項が消えないストーンペーパー材により矩形状に構成し、
前記カード用紙の前記中央部には、前記折り目線に対して直角方向へ指向し、互いに平行な２本一組の切込み線を形成し、
前記カード用紙を前記折り目線に沿って折り曲げる際、前記カード用紙における前記切込み線の間に存する中間辺部を内側に押し込むことにより、前記筆記具を差し込む半環状のホルダー部を形成することを特徴とするゴルフコース用のスコアカード。
【請求項２】
前記カード用紙における前記切込み線の間には、前記切込み線より短く設定されて、互いに平行な２本一組の補助切込み線が前記折り目線に対して直角となるように形成されており、
前記カード用紙を前記折り目線に沿って折り曲げる際、前記カード用紙における前記補助切込み線の間に存する補助中間辺部を内側に押し込むことにより、前記筆記具を差し込む半環状の補助ホルダー部を形成することを特徴とする請求項１に記載のゴルフコース用のスコアカード。
【請求項３】
前記カード用紙の一端部には、一方向に磁化された磁粉が埋設された第１閉鎖辺部が形成され、前記カード用紙の他端部には、他方向に磁化された磁粉が埋設された第２閉鎖辺部が形成されており、前記カード用紙を前記折り目線に沿って折り曲げる際、前記第１閉鎖辺部と前記第２閉鎖辺部とを前記磁粉の磁気吸着力により密着状態に閉鎖することを特徴とする請求項１または請求項２のいずれかに記載のゴルフコース用のスコアカード。
【考案の詳細な説明】
【技術分野】
【０００１】
本考案は、フェアウェイでプレー時に打数などを記録するゴルフコース用のスコアカードに関する。
【背景技術】
【０００２】
フェアウェイにおけるゴルフ競技では、各ゴルフ場専用のスコアカードを用いて、打数などの記録を鉛筆やボールペンなどの筆記具により記入するようにしている。
【０００３】
ゴルフ場のフェアウェイでは、ゴルフの競技中に天候が急変して、風雨や雷鳴を伴うことがあり、風雨に遭遇した場合、木材パルプ製のスコアカードでは破れたり、筆記具の記入が不鮮明になり、正式な記録として認められなくなる虞がある。
これを防ぐ目的で、スコアカードをプラスチック材で構成したり、カード用紙の表面をプラスチック材でコーティングし、表面に微細な凹凸を設けて艶消し状（すりガラス面状）にし、鉛筆などの筆記具で記入ができるようにしたものがある（特許文献１）。
また、ゴルフの競技者（ゴルファー）がプレー時に自己のスコアを記入したスコアカードは、通常の場合、筆記具と一緒に競技者のポケットに収納している。
【先行技術文献】
【特許文献】
【０００４】
【特許文献１】実開平０５−８２５７９号公報
【考案の概要】
【考案が解決しようとする課題】
【０００５】
特許文献１のスコアカードは、耐水性に優れ、雨水に濡れても破損せず、記録が消えることもなく、長期保存が可能となる。このスコアカードは、プラスチック材を原料に含むうえ、製紙過程や廃棄焼却過程で二酸化炭素（ＣＯ2 ）などの排出があり、外部環境に影響を与える虞がある。
また、ゴルファーはスコアカードをポケットに収納する際、筆記具は、クリップ部をスコアカードの二つ折部の付近に差し込むことにより保持されるが、プレー時やフェアウェイを移動する際、筆記具が競技者のポケット内で揺れ動くようになり、安定した保持機能を果せない構造となっていた。
【０００６】
本考案は、上記の事情に鑑みてなされたもので、その目的は雨水に濡れても破損せず、記入ができなくなることも記録が消えることもなく、競技後に別のカードに転記する必要がなく長期保存が可能であり、しかも化石資源を原料とせず、製紙過程や廃棄焼却過程で二酸化炭素の排出が少なくなり、外部環境に与える影響を緩和しながらも、ゴルファーのポケット内でも筆記具を安定させた状態で保持することができるゴルフコース用のスコアカードを提供することにある。
【課題を解決するための手段】
【０００７】
（請求項１について）
ゴルフ場で打数などを記録するために、中央部に二つ折り可能な折り目線が形成されたカード用紙を、耐水性に優れ、水濡れ状態でも筆記具により書き入れ可能であり、かつ書き入れ事項が消えないストーンペーパー材により矩形状に構成されている。カード用紙の中央部には、折り目線に対して直角方向へ指向し、互いに平行な２本一組の切込み線を形成している。
カード用紙を折り目線に沿って折り曲げる際、カード用紙における切込み線の間に存する中間辺部を内側に押し込むことにより、筆記具を差し込む半環状のホルダー部を形成する。
【０００８】
請求項１のストーンペーパー材とは、主成分の石灰石（ＣａＣＯ3 ）につなぎとしてポリエチレン樹脂および紫外線遮断剤を加えて製造された紙材である。
ストーンペーパー材の使用により、カード用紙は、表面が滑らかで書き易くなり、ゴルフ場などで雨水に濡れても破損せず、記入ができなくなることも記録が消えることもなく、ゴルフの競技後に別のスコアカードに転記する必要がなく長期保存が可能となる。
【０００９】
カード用紙を構成するストーンペーパー材は、貴重な木材パルプの代替原料となるため、森林資源の保護に寄与する。そのうえ、ストーンペーパー材では、化石資源を用いるプラスチック材などと異なり、製紙過程や廃棄焼却過程で二酸化炭素の排出が少なくなり、外部環境に与える影響を緩和することができる。
【００１０】
また、切込み線の間に存する中間辺部を内側に押し込むことにより、筆記具を差し込む半環状のホルダー部を形成するので、ゴルファーはポケット内でも筆記具をホルダー部に安定させた状態で保持することができる。
【００１１】
（請求項２について）
カード用紙における切込み線の間には、切込み線より短く設定されて、互いに平行な２本一組の補助切込み線が折り目線に対して直角となるように形成されている。
カード用紙を折り目線に沿って折り曲げる際、カード用紙における補助切込み線の間に存する補助中間辺部を内側に押し込むことにより、筆記具を差し込む半環状の補助ホルダー部を形成する。
【００１２】
請求項２では、補助中間辺部により筆記具を差し込む半環状の補助ホルダー部を形成するので、請求項１と同様に、ゴルファーはポケット内でも筆記具を補助ホルダー部に安定させた状態で保持することができる。
補助中間辺部と請求項１の中間辺部とは、択一的に押し込むことができるので、補助中間辺部と中間辺部のうち、使用者にとって好ましいほうを用いることができる。
【００１３】
（請求項３について）
カード用紙の一端部には、一方向に磁化された磁粉が埋設された第１閉鎖辺部が形成されている。カード用紙の他端部には、他方向に磁化された磁粉が埋設された第２閉鎖辺部が形成されている。カード用紙を折り目線に沿って折り曲げる際、第１閉鎖辺部と第２閉鎖辺部とを磁粉の磁気吸着力により密着状態に当接させて閉鎖する。
【００１４】
これにより、折り曲げたカード用紙がばらけなくなり、カード用紙をゴルファーのポケットにコンパクトにまとめて収納することができる。
【図面の簡単な説明】
【００１５】
【図１】展開したスコアカードの平面図である（実施例１）。
【図２】中間辺部を有するスコアカードの斜視図である（実施例１）。
【図３】補助中間辺部を有するスコアカードの斜視図である（実施例１）。
【図４】閉鎖状態のスコアカードを示す斜視図である（実施例１）。
【図５】接着薄紙辺とともに示すスコアカードの斜視図である（実施例２）。
【考案を実施するための形態】
【００１６】
本考案は、水に濡れても筆記具で書き入れが可能なストーンペーパー材に着目してゴルフコース用のスコアカードに適用したもので、実施例としての態様を各図を参照しながら説明する。
【実施例】
【００１７】
〔実施例１の構成〕
本考案の実施例１を図１〜図４に基づいて説明する。
図１に示すゴルフコース用のスコアカード１は、ゴルフ場で打数などを記録するカード用紙１ａとして使用される。カード用紙１ａは、後述するストーンペーパー材により細長い矩形状に形成され、中央部で上下に指向する折り目線１ｂに沿って二つ折り可能な紙面に形成されている。
【００１８】
ストーンペーパー材とは、既に知られているように、主成分の石灰石（ＣａＣＯ3 ）につなぎとしてポリエチレン樹脂および紫外線遮断剤を加えて製造された紙材である。
カード用紙１ａは、ゴルフ場における競技要件を記載した要件欄２と、ゴルフ競技を行う前に記載する競技前記入欄３と、ゴルフ競技を行ないながら記入する随時記入欄４とを備える。
【００１９】
カード用紙１ａの中央部には、折り目線１ｂに対して直角方向へ指向し、互いに平行で所定の間隔を有する２本一組の切込み線１ｃ、１ｄが上下に二組設けられている。
また、カード用紙１ａにおける切込み線１ｃ、１ｄの間には、切込み線１ｃ、１ｄより短く、互いに平行で小間隔を有する２本一組の補助切込み線１ｅ、１ｆが折り目線１ｂに対して直角となるように形成されている。
【００２０】
カード用紙１ａを折り目線１ｂに沿って折り曲げる際、カード用紙１ａにおける切込み線１ｃ、１ｄの間に存する中間辺部１ｇを手指などで内側に押し込む。これにより、図２の二点鎖線で示すように、太めの鉛筆などの筆記具５を差し込む半環状のホルダー部６を上下二段に形成する。この時、筆記具５のクリップ部５ａは、上段のホルダー部６の上端部に引っ掛ける。
【００２１】
また、カード用紙１ａを折り目線１ｂに沿って折り曲げる際、カード用紙１ａにおける二つの補助切込み線１ｅ、１ｆの間に存する補助中間辺部１ｈを手指などで内側に押し込む。これにより、図３の二点鎖線で示すように、細めの鉛筆などの筆記具７を差し込む半環状の補助ホルダー部８を上下二段に形成する。この時、筆記具７のクリップ部７ａは、上段の補助ホルダー部８の上端部に引っ掛ける。
【００２２】
図２および図３に示すように、カード用紙１ａの一端部には、一方向に磁化された磁粉９ａを分散して埋設した第１閉鎖辺部１０が形成されている。カード用紙１ａの他端部には、他方向に磁化された磁粉９ｂを分散して埋設した第２閉鎖辺部１１が形成されている。
図４に示すように、カード用紙１ａを折り目線１ｂに沿って折り曲げる際、第１閉鎖辺部１０と第２閉鎖辺部１１とを磁粉９ａ、９ｂの磁気吸着力により密着状態に当接させて閉鎖する。
【００２３】
〔実施例１の効果〕
カード用紙１ａをストーンペーパー材により構成したので、耐水性に優れて滑らかな表面が得られ、鉛筆（シャープペンシルを含む）やボールペンあるいは万年筆などの筆記具５、７で書き易くなり、ゴルフ場などで雨水に濡れても書き入れ可能となり、かつ書き入れが消えないため、雨水に濡れても破損せず、記入ができなくなることも記録が消えることもなく、ゴルフの競技後に別のスコアカードに転記する必要がなく長期保存が可能となる。
【００２４】
また、カード用紙１ａを構成するストーンペーパー材は、貴重な木材パルプの代替原料となるため、森林資源の保護に寄与する。そのうえ、ストーンペーパー材では、化石資源を用いるプラスチック材などと異なり、製紙過程や廃棄焼却過程で二酸化炭素の排出が少なくなり、外部環境に与える影響を緩和することができる。
【００２５】
また、中間辺部１ｇにより、筆記具５を差し込む半環状のホルダー部６を形成するとともに、補助中間辺部１ｈにより筆記具７を差し込む半環状の補助ホルダー部８を形成したので、ゴルファーはポケット内でも筆記具５、７をホルダー部６や補助ホルダー部８に安定させた状態で保持することができる。
補助中間辺部１ｈと中間辺部１ｇとは、択一的に押し込むことができるので、補助中間辺部１ｈと中間辺部１ｇのうち、使用者にとって好ましいほうを筆記具５、７に適用することができる。
【００２６】
カード用紙１ａを折り目線１ｂに沿って折り曲げる際、第１閉鎖辺部１０と第２閉鎖辺部１１とを磁粉９ａ、９ｂの磁気吸着力により密着状態に閉鎖するので、折り曲げたカード用紙１ａがばらけなくなり、カード用紙１ａをゴルファーのポケットにコンパクトにまとめて収納することができる。
【００２７】
〔実施例２〕
図５は本考案の実施例２を示す。実施例２が実施例１と異なるところは、第１閉鎖辺部１０と第２閉鎖辺部１１とを閉鎖するために、細長で透明な接着薄紙辺１２、１３を用いたことである。
【００２８】
接着薄紙辺１２、１３には、実施例１で用いた磁粉９ａ、９ｂが埋設されており、一方の接着薄紙辺１２は第１閉鎖辺部１０に貼着され、他方の接着薄紙辺１３は第２閉鎖辺部１１に貼着されている。
実施例２では、カード用紙１ａを折り目線１ｂに沿って折り曲げる際、接着薄紙辺１２、１３の磁気吸着力により、実施例１と同様に第１閉鎖辺部１０と第２閉鎖辺部１１とを密着状態に当接させて閉鎖する。このため、実施例２でも実施例１と同様な効果を奏する。
【００２９】
〔変形例〕
（ａ）なお、実施例１におけるストーンペーパー材は、ストーン紙材とも呼称されるもので、石灰石（ＣａＣＯ3 ）、ポリエチレン樹脂および紫外線遮断剤の他に、強度や柔軟性を考慮し、軟化剤やバインダー等の添加成分を必要に応じて混入させてもよい。
【００３０】
（ｂ）実施例１のカード用紙１ａは、二つ折りの矩形の紙面であるが、カード用紙１ａの形状、厚さおよび大きさは必要に応じて任意に設定してもよい。また、複数枚のカード用紙１ａを束ね、中央部の折り目線１ｂを糸などで綴じることにより、冊子状のスコアーカードを構成してもよい。
（ｃ）カード用紙１ａの中間辺部１ｇや補助中間辺部１ｈは、手指の他に筆記具の頭部で内側に押し込むようにしてもよい。
（ｄ）カード用紙１ａの記載項目は、要件欄２、競技前記入欄３および随時記入欄４に限らず、ゴルフ場、ゴルフのプレーヤー（ゴルファー）やコースなどによって内容を増やしたり、所望に変更して多様性を有するようにしてもよい。
【産業上の利用可能性】
【００３１】
本考案において、ゴルフ場で使われるカード用紙は、ストーンペーパー材により構成されているので、ゴルフ場などで雨水に濡れても破損せず、長期保存が可能となる。しかも、ストーンペーパー材はプラスチック材などと異なり、化石資源を用いていないので、外部環境に与える影響を緩和する。しかも、ゴルファーはポケット内でも筆記具を安定させた状態で保持することができるため、スコアカードに関する製造業界の需要を喚起し、関連部品の流通を介して化学・機械産業に適用することができる。
【符号の説明】
【００３２】
１          ゴルフコース用のスコアカード
１ａ        カード用紙
１ｂ        折り目線
１ｃ、１ｄ  切込み線
１ｅ、１ｆ  補助切込み線
１ｇ        中間辺部
１ｈ        補助中間辺部
５、７      筆記具
６          ホルダー部
８          補助ホルダー部
９ａ、９ｂ  磁粉
１０        第１閉鎖辺部
１１        第２閉鎖辺部
１２、１３  接着薄紙辺
【図１】
0003164699.tif 000003
【図２】
0003164699.tif 000004
【図３】
0003164699.tif 000005
【図４】
0003164699.tif 000006
【図５】
0003164699.tif 000007